(57)【要約】【課題】表示する画像の切り替え指示に対して迅速に対応する装置を提供する。【解決手段】情報処理装置２００は、複数のページで構成されるコンテンツデータからサムネイル画像を生成するサムネイル画像生成部２２４と、ページの切り替え指示を受け付ける指示受付部２２２と、接続されたプロジェクター装置１００で表示する画像データを生成するレンダリング処理部２２６と、プロジェクター装置１００と通信する通信部２１０と、プロジェクター装置１００に送信するデータの生成を制御する制御部２２０と、を備え、制御部２２０は、切り替え指示を受け付けた場合、サムネイル画像を決定し、決定したサムネイル画像を表すサムネイル画像データを通信部２１０を介してプロジェクター装置１００に送信した後、サムネイル画像に対応する高解像度画像データを、通信部２１０を介してプロジェクター装置１００に送信する。【選択図】図２
2018160111.tif 000002
【特許請求の範囲】
【請求項１】
画像表示装置と通信可能に接続された情報処理装置であって、
複数のページで構成されるコンテンツデータから少なくとも１ページのサムネイル画像を生成するサムネイル画像生成部と、
ページの切り替え指示を受け付ける受付部と、
前記サムネイル画像よりも解像度が高い高解像度画像データを生成する高解像度画像データ生成部と、
前記画像表示装置と通信する通信部と、
前記画像表示装置に送信するデータの生成を制御する制御部と、を備え、
前記制御部は、前記切り替え指示を受け付けた場合、前記切り替え指示に基づいて前記サムネイル画像を決定し、決定した前記サムネイル画像を表すサムネイル画像データを、前記通信部を介して前記画像表示装置に送信し、前記サムネイル画像データを送信した後、前記高解像度画像データを、前記通信部を介して前記画像表示装置に送信することを特徴とする情報処理装置。
【請求項２】
請求項１に記載の情報処理装置において、
前記受付部は、前記切り替え指示を外部の機器から取得することを特徴とする情報処理装置。
【請求項３】
請求項２に記載の情報処理装置において、
前記外部の機器はリモコンであることを特徴とする情報処理装置。
【請求項４】
請求項１乃至３のいずれか１項に記載の情報処理装置において、
前記サムネイル画像および前記サムネイル画像データを記憶する記憶部を備え、
前記制御部は、前記記憶部に記憶された前記サムネイル画像および前記サムネイル画像データを読み出すことを特徴とする情報処理装置。
【請求項５】
請求項１乃至４のいずれか１項に記載の情報処理装置において、
前記制御部は、前記高解像度画像データを生成するのに要する時間に基づいて、前記サムネイル画像データを前記画像表示装置に送信するか、否かを判定することを特徴とする情報処理装置。
【請求項６】
通信可能に接続された画像表示装置に画像を表示させる画像表示プログラムであって、
複数のページで構成されるコンテンツデータから少なくとも１ページのサムネイル画像を生成する機能と、
ページの切り替え指示を受け付ける機能と、
前記切り替え指示に基づいて前記サムネイル画像を決定し、決定した前記サムネイル画像に対応するサムネイル画像データを前記画像表示装置に送信する機能と、
前記サムネイル画像データを送信した後、前記サムネイル画像よりも解像度が高い高解像度画像データを生成し、生成した前記高解像度画像データを前記画像表示装置に送信する機能と、をコンピューターに実行させることを特徴とする画像表示プログラム。
【請求項７】
通信可能に接続された画像表示装置に画像を表示させる画像表示方法であって、
複数のページで構成されるコンテンツデータから少なくとも１ページのサムネイル画像を生成し、
ページの切り替え指示を受け付けた場合、前記切り替え指示に基づいて前記サムネイル画像を決定し、
決定した前記サムネイル画像に対応するサムネイル画像データを前記画像表示装置に送信し、
前記サムネイル画像データを送信した後、前記サムネイル画像よりも解像度が高い高解像度画像データを生成し、
生成した前記高解像度画像データを前記画像表示装置に送信することを特徴とする画像表示方法。
【請求項８】
情報処理装置と、前記情報処理装置と通信可能な画像表示装置と、を備える表示システムであって、
前記情報処理装置は、
複数のページで構成されるコンテンツデータから少なくとも１ページのサムネイル画像を生成するサムネイル画像生成部と、
ページの切り替え指示を受け付ける受付部と、
前記サムネイル画像よりも解像度が高い高解像度画像データを生成する高解像度画像データ生成部と、
前記画像表示装置に画像データを送信する送信部と、
前記受付部で前記切り替え指示を受け付けた場合、前記切り替え指示に基づいて前記サムネイル画像を決定し、決定した前記サムネイル画像を表すサムネイル画像データを、前記送信部を介して前記画像表示装置に送信し、前記サムネイル画像データを送信した後、前記高解像度画像データを、前記送信部を介して前記画像表示装置に送信する制御部と、を備え、
前記画像表示装置は、
前記情報処理装置から前記画像データを受信する受信部と、
受信した前記画像データに基づいて画像を表示する表示部と、を備えることを特徴とする表示システム。
【発明の詳細な説明】
【技術分野】
【０００１】
本発明は、情報処理装置、画像表示プログラム、画像表示方法および表示システムに関する。
【背景技術】
【０００２】
従来から、下記特許文献１に示すように、端末装置が保持する画像データを表示装置に送信し、表示装置が受信した画像データに基づいて画像を表示する表示システムが知られている。
また、下記の特許文献２や特許文献３に示すように、最初に、低い解像度の画像を表示装置に表示させ、次に、高い解像度の画像を低い解像度の画像に替えて表示させることで、画像の表示を迅速に行う技術が知られている。
【先行技術文献】
【特許文献】
【０００３】
【特許文献１】特開２０１６−９０２３号公報
【特許文献２】特開２００４−３６１８１４号公報
【特許文献３】特開平１０−７９９１３号公報
【発明の概要】
【発明が解決しようとする課題】
【０００４】
しかしながら、端末装置で画像データの生成処理を行い、生成処理が終了するのを待って、生成される画像データを表示装置に送信する場合、画像データの生成が終了までに多くの時間を要すると、表示装置が画像を表示しない状態が継続し、画像が表示されないことでユーザーの誤操作を誘発し、使い勝手が低下した。
本発明は、上述の課題に鑑みてなされたものであり、表示する画像の切り替え指示に対して迅速に対応することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる情報処理装置は、画像表示装置と通信可能に接続された情報処理装置であって、複数のページで構成されるコンテンツデータから少なくとも１ページのサムネイル画像を生成するサムネイル画像生成部と、ページの切り替え指示を受け付ける受付部と、前記サムネイル画像よりも解像度が高い高解像度画像データを生成する高解像度画像データ生成部と、前記画像表示装置と通信する通信部と、前記画像表示装置に送信するデータの生成を制御する制御部と、を備え、前記制御部は、前記切り替え指示を受け付けた場合、前記切り替え指示に基づいて前記サムネイル画像を決定し、決定した前記サムネイル画像を表すサムネイル画像データを、前記通信部を介して前記画像表示装置に送信し、前記サムネイル画像データを送信した後、前記高解像度画像データを、前記通信部を介して前記画像表示装置に送信することを特徴とする。
【０００７】
このような構成によれば、ページの切り替え指示を受け付けた場合、最初に、切り替え指示に基づいて決定されるサムネイル画像を表すサムネイル画像データを画像表示装置に送信し、次に、サムネイル画像よりも解像度が高い高解像度画像データを生成し、生成した高解像度画像データを画像表示装置に送信する。従って、画像表示装置は、サムネイル画像データを受信してから解像度が高い高解像度画像データを受信するまで、先に受信したサムネイル画像データを表示できるため、ユーザーはページ切り替え指示が受け付けられたことを視認できることから、ユーザーによる誤操作を回避し、使い勝手を向上させることができる。
【０００８】
［適用例２］
上記適用例にかかる情報処理装置において、前記受付部は、前記切り替え指示を外部の機器から取得することが好ましい。
【０００９】
このような構成によれば、画像表示装置で投射する画像の切り替えを外部の機器から指示できる。
【００１０】
［適用例３］
上記適用例にかかる情報処理装置において、前記外部の機器はリモコンであっても良い。
【００１１】
［適用例４］
上記適用例にかかる情報処理装置において、前記サムネイル画像および前記サムネイル画像データを記憶する記憶部を備え、前記制御部は、前記記憶部に記憶された前記サムネイル画像および前記サムネイル画像データを読み出すことが好ましい。
【００１２】
このような構成によれば、サムネイル画像およびサムネイル画像データを生成して記憶部に記憶することで、必要に応じてサムネイル画像およびサムネイル画像データを読み出して迅速に使用できる。
【００１３】
［適用例５］
上記適用例にかかる情報処理装置において、前記制御部は、前記高解像度画像データを生成するのに要する時間に基づいて、前記サムネイル画像データを前記画像表示装置に送信するか、否かを判定することが好ましい。
【００１４】
このような構成によれば、高解像度画像データを生成するのに要する時間に基づいて、サムネイル画像データを画像表示装置に送信することなく、高解像度画像データを画像表示装置に送信することができる。
【００１５】
［適用例６］
本適用例にかかる画像表示プログラムは、通信可能に接続された画像表示装置に画像を表示させる画像表示プログラムであって、複数のページで構成されるコンテンツデータから少なくとも１ページのサムネイル画像を生成する機能と、ページの切り替え指示を受け付ける機能と、前記切り替え指示に基づいて前記サムネイル画像を決定し、決定した前記サムネイル画像に対応するサムネイル画像データを前記画像表示装置に送信する機能と、前記サムネイル画像データを送信した後、前記サムネイル画像よりも解像度が高い高解像度画像データを生成し、生成した前記高解像度画像データを前記画像表示装置に送信する機能と、をコンピューターに実行させることを特徴とする。
【００１６】
このような機能によれば、ページの切り替え指示を受け付けた場合、最初に、切り替え指示に基づいて決定されるサムネイル画像を表すサムネイル画像データを画像表示装置に送信し、次に、サムネイル画像よりも解像度が高い高解像度画像データを生成し、生成した高解像度画像データを画像表示装置に送信する。従って、画像表示装置は、サムネイル画像データを受信してから解像度が高い高解像度画像データを受信するまで、先に受信したサムネイル画像データを表示できるため、ユーザーはページ切り替え指示が受け付けられたことを視認できることから、ユーザーによる誤操作を回避し、使い勝手を向上させることができる。
【００１７】
［適用例７］
本適用例にかかる画像表示方法は、通信可能に接続された画像表示装置に画像を表示させる画像表示方法であって、複数のページで構成されるコンテンツデータから少なくとも１ページのサムネイル画像を生成し、ページの切り替え指示を受け付けた場合、前記切り替え指示に基づいて前記サムネイル画像を決定し、決定した前記サムネイル画像に対応するサムネイル画像データを前記画像表示装置に送信し、前記サムネイル画像データを送信した後、前記サムネイル画像よりも解像度が高い高解像度画像データを生成し、生成した前記高解像度画像データを前記画像表示装置に送信することを特徴とする。
【００１８】
このような方法によれば、ページの切り替え指示を受け付けた場合、最初に、切り替え指示に基づいて決定されるサムネイル画像を表すサムネイル画像データを画像表示装置に送信し、次に、サムネイル画像よりも解像度が高い高解像度画像データを生成し、生成した高解像度画像データを画像表示装置に送信する。従って、画像表示装置は、サムネイル画像データを受信してから解像度が高い高解像度画像データを受信するまで、先に受信したサムネイル画像データを表示することで、ユーザーはページ切り替え指示が受け付けられたことを視認できることから、ユーザーによる誤操作を回避し、使い勝手を向上させることができる。
【００１９】
［適用例８］
本適用例にかかる表示システムは、情報処理装置と、前記情報処理装置と通信可能な画像表示装置と、を備える表示システムであって、前記情報処理装置は、複数のページで構成されるコンテンツデータから少なくとも１ページのサムネイル画像を生成するサムネイル画像生成部と、ページの切り替え指示を受け付ける受付部と、前記サムネイル画像よりも解像度が高い高解像度画像データを生成する高解像度画像データ生成部と、前記画像表示装置に画像データを送信する送信部と、前記受付部で前記切り替え指示を受け付けた場合、前記切り替え指示に基づいて前記サムネイル画像を決定し、決定した前記サムネイル画像を表すサムネイル画像データを、前記送信部を介して前記画像表示装置に送信し、前記サムネイル画像データを送信した後、前記高解像度画像データを、前記送信部を介して前記画像表示装置に送信する制御部と、を備え、前記画像表示装置は、前記情報処理装置から前記画像データを受信する受信部と、受信した前記画像データに基づいて画像を表示する表示部と、を備えることを特徴とする。
【００２０】
このような構成によれば、情報処理装置は、ページの切り替え指示を受け付けた場合、最初に、切り替え指示に基づいて決定されるサムネイル画像データを画像表示装置に送信し、次に、サムネイル画像よりも解像度が高い高解像度画像データを生成し、生成した高解像度画像データを画像表示装置に送信する。これにより、画像表示装置は、高解像度画像データに基づく画像を表示するまでの間、最初に受信したサムネイル画像データに基づく画像を表示する。従って、ユーザーは、サムネイル画像データに基づく画像を視認することで、ページ切り替え指示が受け付けられたことを認知できることから、ユーザーによる誤操作を回避し、使い勝手を向上させることができる。
【図面の簡単な説明】
【００２１】
【図１】画像表示システムの構成を示す図。
【図２】情報処理装置の構成を示す図。
【図３】画像投射部の光学系を模式的に示す図。
【図４】起動処理の流れを示すフローチャート。
【図５】画像投射処理の流れを示すフローチャート。
【図６】時間経過に伴いプロジェクター装置が投射する画像の変化を示す図。
【発明を実施するための形態】
【００２２】
以下、本発明の実施形態について図面を参照して説明する。
【００２３】
（実施形態）
以下、図面を参照して本発明の実施形態について説明する。図１は、画像表示システム１０の構成を示す図である。
画像表示システム１０は、画像表示装置としてのプロジェクター装置１００、および、情報処理装置２００を備えて構成される。プロジェクター装置１００と情報処理装置２００とは、通信可能に接続されている。
プロジェクター装置１００は、情報処理装置２００から供給される画像データに基づく画像をスクリーンＳＣに投射する。
【００２４】
プロジェクター装置１００は、通信部１７５を備える。本実施形態では、通信部１７５は、ＷｉＦｉ（登録商標）のような無線ＬＡＮやＢｌｕｅｔｏｏｔｈ（登録商標）に対応する通信インターフェイスを備え、ネットワーク２５０を介して情報処理装置２００と接続される。
尚、通信部１７５が備えるインターフェイスは、Ｅｔｈｅｒｎｅｔ（登録商標）、ＩＥＥＥ１３９４、ＨＤＭＩ（登録商標）、ＵＳＢ等の有線接続であっても良い。
通信部１７５は、接続した情報処理装置２００から画像データを受信する受信部として機能する。通信部１７５が受信した画像データは画像処理部１５２に送られる。また、通信部１７５は、接続した情報処理装置２００に対して各種データを送信する。
プロジェクター装置１００は、光学的な画像の形成を行い、スクリーンＳＣに画像を投射（表示）する画像投射部５０を備える。画像投射部５０は、表示部として機能し、光源としての光源部５５、光変調部８０及び投射光学系９０を備える。
【００２５】
光源部５５は、光源駆動部１２１により駆動される。光源駆動部１２１は、内部バス１８０に接続される。光源駆動部１２１は、制御部１６０の制御に従って、光源部５５の光源を点灯及び消灯させる。光源が点灯すると第１の光である出射光Ｌ１が光変調部８０に入光される。
光変調部８０には、光変調部８０の液晶装置８５を駆動する光変調駆動部１２２が接続される。光変調駆動部１２２は、内部バス１８０に接続される。
【００２６】
光変調駆動部１２２は、画像処理部１５２から入力される表示画像データに基づいてＲ，Ｇ，Ｂの画像信号をそれぞれに生成する。光変調駆動部１２２は、生成したＲ，Ｇ，Ｂの画像信号に基づいて、光変調部８０の対応する液晶装置８５を駆動し、各液晶装置８５Ｒ，８５Ｇ，８５Ｂに画像を描画する。
投射光学系９０は、出射光Ｌ１が光変調部８０により変調された第２の光である画像光Ｌ２をスクリーンＳＣ方向へ投射して、スクリーンＳＣ上に結像させるレンズ群を備える。また、投射光学系９０は、スクリーンＳＣの投射画像の拡大・縮小及び焦点の調整を行うズーム機構、フォーカスの調整を行うフォーカス調整機構を備えていてもよい。
尚、画像投射部５０の光学系に関する詳細は後述する。
【００２７】
プロジェクター装置１００は、操作パネル１３１及び操作処理部１３３を備える。操作処理部１３３は、内部バス１８０に接続される。
ユーザーからの操作を受け付ける操作パネル１３１には、各種の操作キーや、液晶装置８５にて構成された表示画面が表示される。操作処理部１３３は、操作パネル１３１に表示された操作キーが操作されると、操作されたキーに対応したデータを制御部１６０に出力する。また、操作処理部１３３は、制御部１６０の制御に従って、操作パネル１３１に各種画面を表示させる。
また、操作パネル１３１には、操作パネル１３１への接触を検出するタッチセンサーが重ね合わされて一体形成されても良い。操作処理部１３３は、ユーザーの指等が接触した操作パネル１３１の位置を入力位置として検出し、検出した入力位置に対応したデータを制御部１６０に出力する。
【００２８】
また、プロジェクター装置１００は、ユーザーが操作するリモコン５からの種々の動作指示を受け付ける。本実施形態では、リモコン５は、プロジェクター装置１００とは別体の外部の機器であり、ページ切替ボタン６を備えている。例えば、プロジェクター装置１００がページ単位で表示するコンテンツを投射している場合、ユーザーがページ切替ボタン６を押下すると、プロジェクター装置１００は、押下したページ切替ボタン６に応じて、投射するページを前のページや次のページに変更する。
プロジェクター装置１００は、ユーザーが使用するリモコン５から送信される赤外線信号を受光するリモコン受光部１３２を備える。リモコン受光部１３２は、操作処理部１３３に接続される。
リモコン受光部１３２は、リモコン５から送信される赤外線信号を受光する。操作処理部１３３は、リモコン受光部１３２が受光した赤外線信号をデコードして、リモコン５における操作内容を示すデータを生成し、制御部１６０に出力する。
【００２９】
プロジェクター装置１００は、状態検出部１４０を備える。状態検出部１４０は、プロジェクター装置１００が内蔵するカメラ１４２が出力する信号が入力される。
状態検出部１４０は、入力された信号に基づきプロジェクター装置１００の状態を示す状態情報を生成し、制御部１６０に出力する。
カメラ１４２は、撮像光学系、ＣＣＤのような撮像素子及びインターフェイス回路等を有し、投射画像が投射されるスクリーンＳＣの周辺、即ち、投射光学系９０の投射方向を撮影する。カメラ１４２は、撮影した投射画像の画像データ信号を状態検出部１４０に出力する。
【００３０】
プロジェクター装置１００は、画像処理系を備える。画像処理系は、プロジェクター装置１００の全体を統括的に制御する制御部１６０を中心に構成され、この他に、画像処理部１５２、フレームメモリー１５５及び記憶部１７０を備える。制御部１６０、画像処理部１５２及び記憶部１７０は、内部バス１８０に接続される。
【００３１】
画像処理部１５２は、制御部１６０の制御に従って、通信部１７５から入力される画像データをフレームメモリー１５５に展開する。画像処理部１５２は、フレームメモリー１５５に展開された画像データに対して、台形補正等の形状補正処理、デジタルズーム処理、画像の色合いや明るさの調整等の処理を行う。画像処理部１５２は、制御部１６０により指定された処理を実行し、必要に応じて、制御部１６０から入力されるパラメーターを使用して処理を行う。また、画像処理部１５２は、上記のうち複数の処理を組み合わせて実行することも勿論可能である。
画像処理部１５２は、処理後の画像データをフレームメモリー１５５から読み出し、表示画像データとして光変調駆動部１２２に出力する。
【００３２】
制御部１６０は、何れも図示は略した、ＣＰＵ（Central Processing Unit）、ＲＯＭ（Read Only Memory）及びＲＡＭ（Random Access Memory）等のハードウェアを備える。ＲＯＭは、フラッシュＲＯＭ等の不揮発性の記憶装置であり、制御プログラムやデータを格納する。ＲＡＭは、ＣＰＵのワークエリアを構成する。ＣＰＵは、ＲＯＭや記憶部１７０から読み出した制御プログラムをＲＡＭに展開し、ＲＡＭに展開された制御プログラムを実行してプロジェクター装置１００の各部を制御する。
【００３３】
また、制御部１６０は、リモコン５から送られる操作内容に基づいて、各機能の実行を制御する。また、制御部１６０は、リモコン５から送られた操作内容が、情報処理装置２００に対する操作である場合、操作内容を示すデータを生成し、通信部１７５から情報処理装置２００に送信する。
また、制御部１６０は、機能ブロックとして、投射制御部１６１および補正処理部１６３を備える。これらの機能ブロックは、何れも図示を略した、ＣＰＵと、ＲＯＭや記憶部１７０に記憶された制御プログラムと、が協働することで実現される。
記憶部１７０は、不揮発性の記憶装置であり、例えば、フラッシュメモリー、ＥＰＲＯＭ（Erasable Programmable ROM）、ＥＥＰＲＯＭ（Electrically EPROM）、ＨＤＤ（Hard Disc Drive）などの記憶装置により実現される。また、記憶部１７０は、画像投射部５０によりスクリーンＳＣに投射させる画像データや、制御部１６０が参照する各データやパラメーター等を記憶する。
【００３４】
投射制御部１６１は、画像投射部５０における画像の表示態様を調整し、スクリーンＳＣへの画像の投射を制御する。
具体的には、投射制御部１６１は、画像処理部１５２を制御して、通信部１７５が受信した描画データに対する画像処理を実行させる。この際、投射制御部１６１は、画像処理部１５２が処理に必要なパラメーターを記憶部１７０から読み出して、画像処理部１５２に出力してもよい。
また、投射制御部１６１は、光源駆動部１２１を制御して光源部５５の光源を点灯させ、光源部５５に対して光源の輝度を指示する。
【００３５】
補正処理部１６３は、状態検出部１４０から出力される状態情報に基づいて、補正処理を実行する。
例えば、状態情報が、プロジェクター装置１００の傾斜を示している場合、補正処理部１６３は、画像処理部１５２に対して台形補正を指示する。
電源部１９０は、外部の電源１９５から供給される電力を所定の特性値に変換し、各機能部に供給する。
図２は、プロジェクター装置１００と接続される情報処理装置２００の構成を示す構成図である。
【００３６】
情報処理装置２００は、通信部２１０、記憶部２３０、制御部２２０、タッチパネル２４０を備える。
本実施形態では、情報処理装置２００は、例えば、スマートフォンのような高機能携帯電話や、タブレット端末のような多機能携帯端末を想定する。
通信部２１０は、無線通信を介してプロジェクター装置１００との間でデータを送受信する。例えば、通信部２１０は、プロジェクター装置１００で投射する画像データを送信する送信部として機能する。
記憶部２３０は、画像や文書を示すファイル形式のコンテンツデータや、情報処理装置２００で実行可能なアプリケーション等のプログラムデータを記憶する。アプリケーションは、プロジェクター装置１００を操作するための操作プログラムや、所定の機能を実現するためのアプリケーションプログラムを想定する。本実施形態では、記憶部２３０は、例えば、フラッシュメモリー等を想定する。
【００３７】
タッチパネル２４０は、アプリケーションプログラムのユーザーインターフェイスを含む画像を表示し、ユーザーインターフェイスに対するユーザーの指示を受け付ける。
制御部２２０は、情報処理装置２００の各機能部の動作を制御する。
制御部２２０は、機能ブロックとして、指示受付部２２２、サムネイル画像生成部２２４、レンダリング処理部２２６およびアプリケーション処理部２２８を備える。
指示受付部２２２は、通信部１７５が受信したリモコン５の操作内容を解析し、操作内容に基づく指示を受け付ける。このような指示は、例えば、プロジェクター装置１００が投射している文書に対する操作を想定できる。制御部２２０は、受け付けた指示に基づいて、各機能部に対して所定の動作を指示する。
【００３８】
尚、本実施形態では、リモコン５からの操作内容は、プロジェクター装置１００を介して取得したが、情報処理装置２００がリモコン５から直接に受信する態様や、Ｂｌｕｅｔｏｏｔｈ（登録商標）のような近距離無線を使って外部の装置からの指示を受け付ける態様も想定できる。
アプリケーション処理部２２８は、制御部２２０の指示に基づいて、アプリケーションプログラムを実行させたり、実行中のアプリケーションプログラムに対して所定の操作を指示したりする。尚、本実施形態では、アプリケーションプログラムは、ＰＤＦ（Portable Document Format）形式等で記述されたコンテンツ（文書）を表示し、所望のページをプロジェクター装置１００に投射させる画像表示プログラムを想定するが、これには限定されない。
【００３９】
サムネイル画像生成部２２４は、制御部２２０の指示に基づいて、コンテンツデータから低解像度なサムネイル画像を生成する。生成されたサムネイル画像のデータ（サムネイルデータ）は、記憶部２３０に記憶される。
レンダリング処理部２２６は、制御部２２０の指示に基づいて、記憶部２３０に記憶されたコンテンツデータに対してレンダリング処理を施し、プロジェクター装置１００で投射する画像データ（描画データ）を生成する。
尚、レンダリング処理部２２６は、描画データを生成する場合、制御部２２０の指示に基づいて、サムネイルデータから低解像度なサムネイル画像の描画データを生成する機能と、サムネイル画像に対応する高解像度な画像の描画データを生成する機能と、を有する。尚、サムネイル画像よりも解像度が高い高解像な描画データを生成する機能は、高解像度画像データ生成部に相当する。
【００４０】
また、本実施形態では、画像表示プログラムで使用されるファイル形式のコンテンツデータが決定すると、サムネイル画像生成部２２４は、所定の枚数を限度としてサムネイル画像を生成する。更に、レンダリング処理部２２６は、生成したサムネイル画像に対してレンダリング処理をバックグラウンドで施して描画データを生成する。生成されたサムネイル画像および描画データは記憶部２３０に記憶される。
制御部２２０は、例えば、何れも図示を略した、ＣＰＵ、ＲＡＭ、ＲＯＭ等を備えるコンピューターにより実現してもよい。コンピューターは、画像処理回路など各種の専用処理回路を備えていてもよい。また、制御部２２０は、ＡＳＩＣ（Application Specific Integrated Circuit）などにより実現されてもよい。
【００４１】
制御部２２０の各機能は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現しても良く、あるいは、ハードウェアで実現される機能の一部をソフトウェアで実現しても良い。
次に、図３は画像投射部５０の光学系を模式的に示す図であり、図３を参照して光学系の概略構成を説明する。
【００４２】
画像投射部５０の光学系は光学ユニット５１に構成されている。光学ユニット５１は、光学部品用筐体５２、光源部５５、照明光学装置６０、色分離光学装置６５、リレー光学装置７０、光変調部８０および投射光学系９０を備えている。これらの各装置を構成する光学部品は光学部品用筐体５２に収納されている。
光源部５５は、光束を射出する発光管５６およびリフレクター５７を備えている。光源部５５は、発光管５６から射出された光束をリフレクター５７で反射させて射出方向を揃え、照明光学装置６０に向けて射出する。尚、照明光軸ＯＣは、光源部５５から被照明領域側に射出される光束の中心軸である。
【００４３】
照明光学装置６０はレンズアレイ６１，６２、偏光変換素子６３、重畳レンズ６４およびフィールドレンズ６９を備え、光源部５５から射出された光束に対し、照明光軸ＯＣと直交する面内での照度を均一化する機能を有する。
色分離光学装置６５はダイクロイックミラー６６，６７や反射ミラー６８を備え、照明光学装置６０から射出された光束を、赤色（Ｒ）光、緑色（Ｇ）光、青色（Ｂ）光の３色の色光に分離して３つの液晶装置８５Ｒ，８５Ｇ，８５Ｂに導光する。尚、本実施形態では、液晶装置８５Ｒ，８５Ｇ，８５Ｂは透過型の液晶パネルを採用する。
リレー光学装置７０は入射側レンズ７２、リレーレンズ７６および反射ミラー７４，７８を備える。このリレー光学装置７０は、色分離光学装置６５で分離された色光（本実施形態ではＢ光）に対し、光路の長さが他の色光の光路の長さよりも長くなるため、光の発散などによる光の利用効率の低下を防止し、液晶装置８５（本実施形態では液晶装置８５Ｂ）まで導く。
【００４４】
光変調部８０は、３つの入射側偏光板８４、３つの液晶装置８５Ｒ，８５Ｇ，８５Ｂ、３つの射出側偏光板８６およびクロスダイクロイックプリズム８８を備える。液晶装置８５Ｒ，８５Ｇ，８５Ｂは、色分離光学装置６５で分離された各色光を画像信号に応じて変調する。クロスダイクロイックプリズム８８は、液晶装置８５Ｒ，８５Ｇ，８５Ｂにより変調された各色光を合成し、投射光学系９０側に射出する。
投射光学系９０は投射レンズ９２を備え、光変調部８０で変調され合成された光束を、投射レンズ９２で拡大しスクリーンＳＣに投射することにより、画像信号に基づく投射画像がスクリーンＳＣに表示される。
図４は、情報処理装置２００が起動され、ページ単位で文書を表示する画像表示プログラムの起動処理が実行された場合の処理（起動処理）の流れを示すフローチャートである。
【００４５】
情報処理装置２００が起動され、画像表示プログラムが実行されると、情報処理装置２００の制御部２２０は、画像ファイルのようなコンテンツデータを決定する（ステップＳ２８０）。この決定は、ユーザーにより指示されても良く、また、情報処理装置２００で最後に読み込んだコンテンツデータが決定されていても良い。
次に、情報処理装置２００の制御部２２０は、コンテンツデータから少なくとも１ページの低解像度なサムネイル画像を生成する（ステップＳ２８２）。生成したサムネイル画像のデータは記憶部２３０に記憶される。また、情報処理装置２００の制御部２２０は、生成したサムネイル画像に対するレンダリング処理をバックグラウンドで開始する。
次に、情報処理装置２００の制御部２２０は、生成した複数のサムネイル画像をタッチパネル２４０に表示する（ステップＳ２８４）。
【００４６】
次に、情報処理装置２００の制御部２２０は、ユーザーからの指示を受け付け、ユーザーにより指示されたサムネイル画像に対応する高解像度な描画データを生成する（ステップＳ２８６）。
次に、情報処理装置２００の制御部２２０は、生成した描画データをプロジェクター装置１００に送信し（ステップＳ２８８）、処理を終了する。
プロジェクター装置１００は、情報処理装置２００から送信された描画データに基づいて高解像度な画像をスクリーンＳＣに投射する。尚、画像表示プログラムの起動時においては、ユーザーによる画像選択には限定されず、コンテンツのデータファイルの先頭の画像や前回最後に選択された画像のように、予め決められた画像が投射されても良い。
【００４７】
図５は、情報処理装置２００およびプロジェクター装置１００による画像投射処理の流れ（画像表示方法）を示すフローチャートである。また、図６は、時間経過に伴いプロジェクター装置１００が投射する画像の変化を示す図である。
情報処理装置２００が起動して図４で示した起動処理が実行された後、時刻ｔ０において、文書ファイルのＮページ目の高解像度な画像がプロジェクター装置１００に表示されている場合を想定する。この状態で、ユーザーがリモコン５のページ切替ボタン６を操作し、次のページ（（Ｎ＋１）ページ目）の高解像度な画像をプロジェクター装置１００に表示させる処理について説明する。
最初に、プロジェクター装置１００は、Ｎページ画像をスクリーンＳＣに投射している状態において、時刻ｔ１にユーザーがリモコン５のページ切替ボタン６で次のページへの切り替えを指示した場合、プロジェクター装置１００の制御部１６０は、次のページへの切り替え指示に基づいて、次ページ遷移指示を情報処理装置２００に送信する（ステップＳ３００）。
【００４８】
情報処理装置２００はプロジェクター装置１００から送信された次ページ遷移指示を受信する（ステップＳ３０２）。
続いて、情報処理装置２００の制御部２２０は、次のページ（（Ｎ＋１）ページ）のレンダリング処理を行う前に、次のページ（（Ｎ＋１）ページ）のサムネイル画像を投射するか、否かを判定する（ステップＳ３０４）。
尚、高解像度の画像を投射する前に、サムネイル画像を投射するか、否かの判定は、制御部２２０が高解像度な画像をレンダリング処理するのに要する時間に基づいて判定しても良い。
例えば、投射しているコンテンツデータの属性に基づいて判定しても良い。例えば、コンテンツデータを収納したファイルの拡張子（ファイルの種類）に基づいて判定しても良い。また、（Ｎ−１）ページまでのレンダリング処理に所要する時間を計測し、計測した時間に基づいて判定しても良い。また、部分レンダリングを行う場合に一部のレンダリング処理に要する時間に基づいて決定しても良い。また、サムネイル画像のレンダリング処理に要した時間に基づいて決定しても良い。
【００４９】
また、図示は略すが、情報処理装置２００の制御部２２０は、後述する次のページのレンダリング処理（ステップＳ３１６）を別スレッドによる処理で開始させ、レンダリング処理が所定時間内に完了しない場合、サムネイル画像の投射を決定しても良い。
ステップＳ３０４において、情報処理装置２００の制御部２２０がサムネイル画像を投射しないと判定した場合（Ｎｏ）、ステップＳ３１６に進む。
他方で、ステップＳ３０４において、情報処理装置２００の制御部２２０がサムネイル画像を投射すると判定した場合（Ｙｅｓ）、情報処理装置２００の制御部２２０は、（Ｎ＋１）ページのサムネイル画像を記憶部２３０から読み出して取得する（ステップＳ３０６）。
【００５０】
次に、情報処理装置２００の制御部２２０は、取得したサムネイル画像がレンダリングされた描画データＡを記憶部２３０から読み出す（ステップＳ３０８）。
次に、情報処理装置２００の制御部２２０は、描画データＡをプロジェクター装置１００に送信する（ステップＳ３１０）。
尚、情報処理装置２００の制御部２２０は、描画データＡを生成する場合、次のページへの遷移指示を受け付けたことをユーザーに示す情報、例えば、文字メッセージやキャラクターを、サムネイル画像に重畳させて表示するように描画データＡを生成しても良い。
プロジェクター装置１００は、情報処理装置２００から送信された描画データＡを受信する（ステップＳ３１２）。
【００５１】
続いて、プロジェクター装置１００の制御部１６０は、時刻ｔ２に受信した描画データＡに基づいて（Ｎ＋１）ページサムネイル画像をスクリーンＳＣに投射する（ステップＳ３１４）。これにより、ユーザーは、スクリーンＳＣに投射された低解像度な画像を即座に視認できる。
他方で、情報処理装置２００の制御部２２０は、ステップＳ３１０で描画データＡをプロジェクター装置１００に送信した後、ステップＳ３１６を実行する。
【００５２】
ステップＳ３１６では、情報処理装置２００の制御部２２０は、次のページの高解像度な画像を取得し、取得した次のページの画像に対してレンダリングを行う。
次に、情報処理装置２００の制御部２２０は、高解像度な画像を描画する描画データＢをプロジェクター装置１００に送信し（ステップＳ３１８）、処理を終了する。
プロジェクター装置１００は、情報処理装置２００から送信された描画データＢを受信する（ステップＳ３２０）。
続いて、プロジェクター装置１００の制御部１６０は、時刻ｔ３に受信した描画データＢに基づいて（Ｎ＋１）ページ画像をスクリーンＳＣに投射し（ステップＳ３２２）、処理を終了する。
【００５３】
このように、ページを遷移させるべく時刻ｔ１でリモコン５のページ切替ボタン６が押下されてから、時刻ｔ３で次のページの高解像度な画像が投射されるまでに要する時間（ｔ３−ｔ１）、例えば、数十秒と比べ、時刻ｔ２で次のページのサムネイル画像が投射されるまでに要する時間（ｔ２−ｔ１）は１秒以下の短時間である。従って、ユーザーは、サムネイル画像のため解像度は低下するが、リモコン５のページ切替ボタン６で次のページへの切り替えが受け付けられたことを即座に確認できる。これにより、受け付けられたか、否かが不明なために再度ページ切替ボタン６を押下してしまう誤操作を回避できる。
【００５４】
以上述べた実施形態によれば、以下のような効果を奏する。
（１）情報処理装置２００は、通信可能に接続されたプロジェクター装置１００のリモコン５からページの切り替え指示を受け付けた場合、最初に、切り替え指示に基づいて決定されるサムネイル画像がレンダリング処理されたサムネイル画像データをプロジェクター装置１００に送信し、次に、サムネイル画像よりも解像度が高い高解像度画像データをレンダリング処理により生成し、生成した画像データをプロジェクター装置１００に送信する。従って、プロジェクター装置１００は、サムネイル画像データを受信してから解像度が高い高解像度画像データを受信するまで、先に受信したサムネイル画像データを表示できるため、ページ切り替え指示が受け付けられたことを視認できることから、ユーザーによる誤操作を回避し、使い勝手を向上させることができる。
【００５５】
（２）プロジェクター装置１００で投射する画像の切り替えを外部のリモコン５から指示できる。
（３）サムネイル画像およびサムネイル画像データを生成して記憶部２３０に記憶することで、必要に応じてサムネイル画像およびサムネイル画像データを読み出して迅速に使用できる。
（４）高解像度画像データをレンダリング処理で生成するのに要する時間に基づいて、サムネイル画像データをプロジェクター装置１００に送信することなく、高解像度画像データをプロジェクター装置１００に送信するため、画像表示処理の高速化を図れる。
【００５６】
以上、本発明を図示した実施形態に基づいて説明したが、本発明は、本実施形態に限定されるものではなく、以下に述べるような変形例も想定できる。
（１）プロジェクター装置１００は、液晶パネルを用いた方式には限定されず、ＤＬＰ（Ｄｉｇｉｔａｌ  Ｌｉｇｈｔ  Ｐｒｏｃｅｓｓｉｎｇ）方式やＬＣＯＳ（Ｌｉｑｕｉｄ  Ｃｒｙｓｔａｌ  Ｏｎ  Ｓｃｒｅｅｎ）方式等の他の方式も想定できる。
【００５７】
（２）表示装置は、スクリーンＳＣに画像を投射するプロジェクター装置１００に限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明に含まれる。
また、以上のような手法を実施する装置は、単独の装置によって実現される場合もあれば、複数の装置を組み合わせることによって実現される場合もあり、各種の態様を含むものである。例えば、プロジェクター装置１００と情報処理装置２００とが一体となった態様も想定できる。
【符号の説明】
【００５８】
５…リモコン、６…ページ切替ボタン、１０…画像表示システム、５０…画像投射部、５１…光学ユニット、５２…光学部品用筐体、５５…光源部、５６…発光管、５７…リフレクター、６０…照明光学装置、６１，６２…レンズアレイ、６３…偏光変換素子、６４…重畳レンズ、６５…色分離光学装置、６６，６７…ダイクロイックミラー、６８…反射ミラー、６９…フィールドレンズ、７０…リレー光学装置、７２…入射側レンズ、７４，７８…反射ミラー、７６…リレーレンズ、８０…光変調部、８４…入射側偏光板、８５，８５Ｒ，８５Ｇ，８５Ｂ…液晶装置、８６…射出側偏光板、８８…クロスダイクロイックプリズム、９０…投射光学系、９２…投射レンズ、１００…プロジェクター装置、１２１…光源駆動部、１２２…光変調駆動部、１３１…操作パネル、１３２…リモコン受光部、１３３…操作処理部、１４０…状態検出部、１４２…カメラ、１５２…画像処理部、１５５…フレームメモリー、１６０…制御部、１６１…投射制御部、１６３…補正処理部、１７０…記憶部、１７５…通信部、１８０…内部バス、１９０…電源部、１９５…電源、２００…情報処理装置、２１０…通信部、２２０…制御部、２２２…指示受付部、２２４…サムネイル画像生成部、２２６…レンダリング処理部、２２８…アプリケーション処理部、２３０…記憶部、２４０…タッチパネル、２５０…ネットワーク、Ｌ１…出射光、Ｌ２…画像光。
【図１】
2018160111.tif 000003
【図２】
2018160111.tif 000004
【図３】
2018160111.tif 000005
【図４】
2018160111.tif 000006
【図５】
2018160111.tif 000007
【図６】
2018160111.tif 000008